【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
情報処理端末および複数の出力装置がネットワークを介して接続された出力管理サーバにおいて、
前記情報処理端末から出力対象データと、その出力先の出力装置を指定した出力指示とを受信する受信手段と、
前記受信手段によって受信した前記出力対象データを、前記出力指示で出力先に指定された出力装置を示す出力先情報に関連付けて保持する保持手段と、
出力装置から送られたジョブ情報送付要求に応じて、前記ジョブ情報送付要求を行った出力装置に対し、前記出力対象データを転送する転送制御手段と、
を有する
ことを特徴とする出力管理サーバ。
【請求項２】
前記ジョブ情報送付要求を行った出力装置は、前記受信手段によって受信した前記出力指示で出力先に指定された出力装置とは異なる出力装置である
ことを特徴とする請求項１に記載の出力管理サーバ。
【請求項３】
前記ジョブ情報送付要求には、ジョブを特定する情報が含まれ、
前記転送制御手段は、前記ジョブを特定する情報によって特定されたジョブに関する出力対象データを、前記ジョブ情報送付要求を行った出力装置に対し転送する
ことを特徴とする請求項１または２に記載の出力管理サーバ。
【請求項４】
情報処理端末と複数の出力装置と出力管理サーバとがネットワークを介して接続されたデータ出力システムにおいて、
前記情報処理端末は、出力対象データと、その出力先の出力装置を指定した出力指示とを前記出力管理サーバに送信する出力指示送信手段を有し、
前記出力管理サーバは、
前記情報処理端末から出力対象データと、その出力先の出力装置を指定した出力指示とを受信する受信手段と、
前記受信手段によって受信した前記出力対象データを、前記出力指示で出力先に指定された出力装置を示す出力先情報に関連付けて保持する保持手段と、
出力装置から送られたジョブ情報送付要求に応じて、前記ジョブ情報送付要求を行った出力装置に対し、前記出力対象データを転送する転送制御手段と、
を有する
ことを特徴とするデータ出力システム。
【請求項５】
前記ジョブ情報送付要求を行った出力装置は、前記受信手段によって受信した前記出力指示で出力先に指定された出力装置とは異なる出力装置である
ことを特徴とする請求項４に記載のデータ出力システム。
【請求項６】
前記ジョブ情報送付要求には、ジョブを特定する情報が含まれ、
前記転送制御手段は、前記ジョブを特定する情報によって特定されたジョブに関する出力対象データを、前記ジョブ情報送付要求を行った出力装置に対し転送する
ことを特徴とする請求項４または５に記載のデータ出力システム。
【請求項７】
出力管理サーバから出力対象データの転送を受けた出力装置は、前記受信した出力対象データに従って印刷処理を実行する
ことを特徴とする請求項４乃至６のいずれか一項に記載のデータ出力システム。
【手続補正２】
【補正対象書類名】明細書
【補正対象項目名】０００８
【補正方法】変更
【補正の内容】
【０００８】
［１］情報処理端末および複数の出力装置がネットワークを介して接続された出力管理サーバにおいて、
前記情報処理端末から出力対象データと、その出力先の出力装置を指定した出力指示とを受信する受信手段と、
前記受信手段によって受信した前記出力対象データを、前記出力指示で出力先に指定された出力装置を示す出力先情報に関連付けて保持する保持手段と、
出力装置から送られたジョブ情報送付要求に応じて、前記ジョブ情報送付要求を行った出力装置に対し、前記出力対象データを転送する転送制御手段と、
を有する
ことを特徴とする出力管理サーバ。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
［２］前記ジョブ情報送付要求を行った出力装置は、前記受信手段によって受信した前記出力指示で出力先に指定された出力装置とは異なる出力装置である
ことを特徴とする［１］に記載の出力管理サーバ。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
［３］前記ジョブ情報送付要求には、ジョブを特定する情報が含まれ、
前記転送制御手段は、前記ジョブを特定する情報によって特定されたジョブに関する出力対象データを、前記ジョブ情報送付要求を行った出力装置に対し転送する
ことを特徴とする［１］または［２］に記載の出力管理サーバ。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
［４］情報処理端末と複数の出力装置と出力管理サーバとがネットワークを介して接続されたデータ出力システムにおいて、
前記情報処理端末は、出力対象データと、その出力先の出力装置を指定した出力指示とを前記出力管理サーバに送信する出力指示送信手段を有し、
前記出力管理サーバは、
前記情報処理端末から出力対象データと、その出力先の出力装置を指定した出力指示とを受信する受信手段と、
前記受信手段によって受信した前記出力対象データを、前記出力指示で出力先に指定された出力装置を示す出力先情報に関連付けて保持する保持手段と、
出力装置から送られたジョブ情報送付要求に応じて、前記ジョブ情報送付要求を行った出力装置に対し、前記出力対象データを転送する転送制御手段と、
を有する
ことを特徴とするデータ出力システム。
【手続補正１９】
【補正対象書類名】明細書
【補正対象項目名】００２５
【補正方法】変更
【補正の内容】
【００２５】
［５］前記ジョブ情報送付要求を行った出力装置は、前記受信手段によって受信した前記出力指示で出力先に指定された出力装置とは異なる出力装置である
ことを特徴とする［４］に記載のデータ出力システム。
【手続補正２０】
【補正対象書類名】明細書
【補正対象項目名】００２６
【補正方法】変更
【補正の内容】
【００２６】
［６］前記ジョブ情報送付要求には、ジョブを特定する情報が含まれ、
前記転送制御手段は、前記ジョブを特定する情報によって特定されたジョブに関する出力対象データを、前記ジョブ情報送付要求を行った出力装置に対し転送する
ことを特徴とする［４］または［５］に記載のデータ出力システム。
【手続補正２１】
【補正対象書類名】明細書
【補正対象項目名】００２７
【補正方法】変更
【補正の内容】
【００２７】
［７］出力管理サーバから出力対象データの転送を受けた出力装置は、前記受信した出力対象データに従って印刷処理を実行する
ことを特徴とする［４］乃至［６］のいずれか一項に記載のデータ出力システム。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】変更
【補正の内容】
【００３６】
本発明に係わるデータ出力システムおよび出力管理サーバによれば、出力対象データを出力管理サーバ上で保持するようにしたので、出力先の変更を容易に行なうことができる。